(57)【特許請求の範囲】
【請求項１】
電話機を接続するＩＰ電話端末と、該ＩＰ電話端末対応の０５０ＶｏＩＰ情報を設定登録する認証サーバとを含むＩＰ電話システムに於いて、
前記ＩＰ電話端末は、該ＩＰ電話端末に接続した前記電話機からの数字情報による０５０ＶｏＩＰ情報を入力して保持する情報保持手段と、該情報保持手段に保持した数字情報による前記０５０ＶｏＩＰ情報を、初期設定時に前記認証サーバに対して設定登録要求と共に送信する設定登録要求手段とを備え、
前記認証サーバは、前記ＩＰ電話端末からの設定登録要求として受信した前記数字情報による０５０ＶｏＩＰ情報が正しいか否かの照合を行って、正しいと判定した時に０５０ＶｏＩＰ情報を設定登録し、且つ前記ＩＰ電話端末に設定内容を通知する登録手段とを備えた
ことを特徴とするＩＰ電話システム。
【請求項２】
電話機を接続するＩＰ電話端末と、該ＩＰ電話端末対応の０５０ＶｏＩＰ情報を設定登録する認証サーバとを含むＩＰ電話システムに於いて、
前記ＩＰ電話端末は、該ＩＰ電話端末に接続した前記電話機からの数字情報による電話番号とパスワードとを含む０５０ＶｏＩＰ情報の入力によりプロバイダに０５０ＶｏＩＰ情報要求を送出する要求手段と、該要求手段による要求に従って前記プロバイダからの０５０ＶｏＩＰ情報を受信して設定保持する情報保持手段と、該情報保持手段に保持された前記０５０ＶｏＩＰ情報を前記認証サーバに設定登録要求と共に送信する設定登録要求手段とを備えた
ことを特徴とするＩＰ電話システム。
【請求項３】
電話機を接続するＩＰ電話端末と、該ＩＰ電話端末対応の０５０ＶｏＩＰ情報を設定登録する認証サーバとを含むＩＰ電話システムに於いて、
プロバイダは、前記０５０ＶｏＩＰ情報を設定登録する前記認証サーバと共に前記０５０ＶｏＩＰ情報を保持した一次認証サーバを備え、
前記ＩＰ電話端末は、前記電話機から入力した数字情報によるアカウント情報を前記一次認証サーバへ送出して前記０５０ＶｏＩＰ情報を要求する要求手段と、前記一次認証サーバによる前記アカウント情報の照合により該一次認証サーバに保持されている前記０５０ＶｏＩＰ情報を受信して設定保持する情報保持手段と、該情報保持手段に保持された前記０５０ＶｏＩＰ情報を前記認証サーバに設定登録要求と共に送信する設定登録要求手段とを備えた
ことを特徴とするＩＰ電話システム。
【請求項４】
電話機を接続するＩＰ電話端末と、認証サーバとを含み、前記ＩＰ電話端末対応の０５０ＶｏＩＰ情報を前記認証サーバに設定登録するＩＰ電話設定方法に於いて、
前記ＩＰ電話端末に、前記電話機を接続すると共に前記認証サーバに接続し、前記電話機からの数字情報による０５０ＶｏＩＰ情報を前記ＩＰ電話端末に入力して、該ＩＰ電話端末の情報保持手段に保持し、且つ前記情報保持手段に保持した前記数字情報による０５０ＶｏＩＰ情報を、前記認証サーバに設定登録要求と共に送信する処理過程と、該認証サーバに於いて受信した前記数字情報による０５０ＶｏＩＰ情報を照合し、照合一致により正規の前記０５０ＶｏＩＰ情報に修正して設定登録する処理過程とを含む
ことを特徴とするＩＰ電話設定方法。
【請求項５】
電話機を接続するＩＰ電話端末と、認証サーバとを含み、前記ＩＰ電話端末対応の０５０ＶｏＩＰ情報を前記認証サーバに設定登録するＩＰ電話設定方法に於いて、
前記ＩＰ電話端末に、前記電話機を接続すると共に前記認証サーバを接続し、前記電話機からの数字情報による０５０ＶｏＩＰ情報の一部の数字情報による０５０電話番号及びパスワードを入力し、該０５０ＶｏＩＰ情報の一部を基にプロバイダにアクセスして、該プロバイダに保持されている０５０ＶｏＩＰ情報を要求する処理過程と、該プロバイダから前記０５０ＶｏＩＰ情報を受信設定し、該０５０ＶｏＩＰ情報を前記認証サーバへ設定登録要求と共に送信する処理過程とを含む
ことを特徴とするＩＰ電話設定方法。
【請求項６】
電話機を接続するＩＰ電話端末と、認証サーバとを含み、前記ＩＰ電話端末対応の０５０ＶｏＩＰ情報を前記認証サーバに設定登録するＩＰ電話設定方法に於いて、
前記ＩＰ電話端末に前記電話機を接続し、該電話機から数字情報によるアカウント情報を入力し、該アカウント情報を、前記０５０ＶｏＩＰ情報を保持している一次認証サーバに送信する処理過程と、該一次認証サーバに於ける前記アカウント情報の照合一致により、該一次認証サーバに保持している前記アカウント情報対応の０５０ＶｏＩＰ情報を前記ＩＰ電話端末へ送信する処理過程と、該ＩＰ電話端末に於いて受信した前記０５０ＶｏＩＰ情報を設定保持し、且つ該０５０ＶｏＩＰ情報を前記認証サーバへ設定登録要求と共に送信する処理過程とを含む
ことを特徴とするＩＰ電話設定方法。
【発明の詳細な説明】
【技術分野】
【０００１】
本発明は、ＩＰ電話端末の初期設定登録操作を簡単化できるＩＰ電話システム及びＩＰ電話設定方法に関する。
【背景技術】
【０００２】
一般の公衆交換網に於いては、電話番号に従って交換接続される加入者線に電話機を接続するものであり、従って、新規に加入者線に接続した電話機側からの初期設定登録操作は必要でないが、０５０−ＸＸＸＸ−ＹＹＹＹ（Ｘ，Ｙ＝０〜９の何れかの数）の電話番号体系のＩＰ網を介して通話を行う場合の電話機は、ＩＰ電話端末に接続し、このＩＰ電話端末をＩＰ網に接続し、プロバイダの認証サーバ等に対して、割り当てられた０５０−ＸＸＸＸ−ＹＹＹＹの０５０番号と、サーバ名と、サービスドメイン名と、ユーザＩＤと、ユーザパスワード等の０５０ＶｏＩＰ情報を、プロバイダの認証サーバ等に対して初期設定登録を行う必要がある。それにより、一般の公衆交換網に収容されている電話機を含めて、相互間の通話が可能となる。
【０００３】
図７は従来例の説明図であり、ＩＰ電話端末１０１のＬＡＮポートにパソコン（ユーザＰＣ）１０２を実線で示すように接続し、又ＩＰ電話端末１０１のＷＡＮポートに実線で示すように、ＩＰ網の上位ルータ１０３を介してプロバイダ１０４と接続し、パソコン１０２からユーザ設定として点線矢印で示すように、ＩＰ電話端末１０１へ０５０ＶｏＩＰ情報を入力して保持させ、そのＩＰ電話端末１０１から上位ルータ１０３を介してプロバイダ１０４の認証サーバ（ＣＡ）１０５に、点線矢印で示すように、０５０ＶｏＩＰ情報と共に設定登録要求のＲＥＧＩＳＴ（ＲＥＧＩＳＴＥＲメッセージ）を送信する。パソコン１０２から入力する０５０ＶｏＩＰ情報としては、０５０−ＸＸＸＸ−ＹＹＹＹの０５０番号体系の電話番号、サーバ名、サービスドメイン名、ユーザＩＤ、ユーザパスワード等が含まれる。なお、０５０番の後の４桁の番号のＸＸＸＸは、プロバイダ対応の単一又は複数種類の番号であり、次の４桁の番号ＹＹＹＹは、プロバイダから割り当てられたユーザの番号である。
【０００４】
図８は、従来例の初期設定登録のフローチャートを示し、図７を参照して説明すると、ＩＰ電話端末１０１を上位ルータ１０３に接続すると共に、パソコン１０２を接続し（Ｅ１）、ユーザがパソコン１０２を用いて０５０ＶｏＩＰ情報、即ち、前述の０５０−ＸＸＸＸ−ＹＹＹＹのＩＰ電話番号と、サーバ名、サービスドメイン名、ユーザＩＤ、ユーザパスワード等を含む情報をＩＰ電話端末１０１に入力して設定する（Ｅ２）。それにより、ＩＰ電話端末１０１から認証サーバ（ＣＡ）１０５に設定登録要求のＲＥＧＩＳＴ（ＲＥＧＩＳＴＥＲメッセージ）を送信する。認証サーバ（ＣＡ）１０５は、０５０ＶｏＩＰ情報を照合し、照合一致の場合は、設定登録要求に従って登録し、０５０ＶｏＩＰ利用可とする（Ｅ５）。又照合不一致の場合は、認証要求を不可とし、それにより０５０ＶｏＩＰ利用不可とする（Ｅ６）。
【０００５】
又ＩＰ網内に、ＩＰ電話端末の情報を登録する登録サーバと、コネクション設定時にアクセスするプロキシサーバと、ＩＰ電話端末の位置情報を蓄積するロケーションサーバとを含むＩＰ電話システムに於いて、ＩＰ電話端末からの初期設定登録を、ユーザＩＤ、ユーザパスワード、ＩＰ電話番号０５０−ＸＸＸＸ−ＹＹＹＹを含む設定登録要求情報を、登録サーバへ送出し、登録サーバに於いて認証が得られると、設定登録する。その後は、ＩＰ電話端末は、プロキシサーバに対してセッション確立要求メッセージＩＮＶＩＴＥを送出するものであるが、ＩＰ電話端末に設定されているプロキシサーバ情報に誤りがあると、プロキシサーバに到達しないので、プロキシサーバからの応答を受信することができない。そこで、初期設定登録時に、プロキシサーバ情報を含めて登録サーバへ送出し、登録サーバに於いてプロキシサーバ情報を含めて認証することにより、初期設定登録後は、確実にプロキシサーバに対してコネクション確立要求メッセージＩＮＶＩＴＥを送出可能とする手段が提案されている（例えば、特許文献１参照）。
【特許文献１】特開２００６−２７９２０４号公報
【発明の開示】
【発明が解決しようとする課題】
【０００６】
従来のＩＰ電話端末の初期設定登録は、パソコンを接続して、０５０ＶｏＩＰ情報を入力するものであり、パソコンを所有していないユーザは、初期設定登録ができないので、ＩＰ電話を利用することができない問題があった。又パソコンで入力する登録情報を、ＩＰ電話端末の出荷時に、ＩＰ電話番号を含めた０５０ＶｏＩＰ情報を総て入力設定することが考えられる。しかしながら、この場合は、入力作業やユーザ対応に梱包発送する作業が煩雑となり、人為的ミスが発生する可能性が高くなり、チェック機能がないので、人為的ミスが含まれている場合、初期設定登録ができない問題がある。
【０００７】
本発明は、前述の従来の問題点を解決することを目的とし、パソコンを所有していないユーザも、比較的簡単な操作で且つ照合チェックを含めることによりＩＰ電話端末の初期設定を可能とする。
【課題を解決するための手段】
【０００８】
本発明のＩＰ電話システムは、電話機を接続するＩＰ電話端末と、該ＩＰ電話端末対応の０５０ＶｏＩＰ情報を設定登録する認証サーバとを含むＩＰ電話システムであって、前記ＩＰ電話端末は、該ＩＰ電話端末に接続した前記電話機からの数字情報による０５０ＶｏＩＰ情報を入力して保持する情報保持手段と、該情報保持手段に保持した数字情報による前記０５０ＶｏＩＰ情報を、初期設定時に前記認証サーバに対して設定登録要求と共に送信する設定登録要求手段とを備え、前記認証サーバは、前記ＩＰ電話端末からの設定登録要求として受信した前記数字情報による０５０ＶｏＩＰ情報が正しいか否かの照合を行って、正しいと判定した時に０５０ＶｏＩＰ情報を設定登録し、且つ前記ＩＰ電話端末に設定内容を通知する登録手段とを備えている。
【０００９】
又ＩＰ電話端末は、電話機からの０５０ＶｏＩＰ情報の一部の入力により、プロバイダに０５０ＶｏＩＰ情報要求を送出する要求手段と、プロバイダからの０５０ＶｏＩＰ情報を受信して設定保持する情報保持手段と、この情報保持手段に保持された０５０ＶｏＩＰ情報を、認証サーバに設定登録要求と共に送信する設定登録要求手段とを備えている。
【００１０】
又プロバイダは、０５０ＶｏＩＰ情報を設定登録する認証サーバと共に、０５０ＶｏＩＰ情報を保持した一次認証サーバを備え、ＩＰ電話端末は、電話機から入力したアカウント情報を一次認証サーバへ送出して、０５０ＶｏＩＰ情報を要求する要求手段と、一次認証サーバによるアカウント情報の照合により、この一次認証サーバに保持されている０５０ＶｏＩＰ情報を受信して設定保持する情報保持手段と、この情報保持手段に保持された０５０ＶｏＩＰ情報を、認証サーバに設定登録要求と共に送信する設定登録要求手段とを備えている。
【００１１】
又本発明のＩＰ電話設定方法は、ＩＰ電話端末に、電話機を接続すると共に認証サーバを接続し、電話機からの数字情報による０５０ＶｏＩＰ情報をＩＰ電話端末に入力して情報保持手段に保持し、且つ認証サーバに０５０ＶｏＩＰ情報を設定登録要求と共に送信し、この認証サーバに於いて受信した０５０ＶｏＩＰ情報を照合し、照合一致により、０５０ＶｏＩＰ情報を設定する過程を含むものである。
【００１２】
又ＩＰ電話端末に、電話機を接続すると共に認証サーバを接続し、電話機からの数字情報による０５０ＶｏＩＰ情報の一部を入力し、この０５０ＶｏＩＰ情報の一部を基にプロバイダにアクセスし、このプロバイダに保持されている０５０ＶｏＩＰ情報を要求して受信設定し、この０５０ＶｏＩＰ情報を認証サーバへ設定登録要求と共に送信する過程を含むものである。
【００１３】
又ＩＰ電話端末に電話機を接続し、この電話機からアカウント情報を入力し、このアカウント情報を、０５０ＶｏＩＰ情報を保持している一次認証サーバに送信し、この一次認証サーバに於けるアカウント情報の照合一致により、この一次認証サーバに保持しているアカウント情報対応の０５０ＶｏＩＰ情報をＩＰ電話端末へ送信し、このＩＰ電話端末に於いて設定保持し、この０５０ＶｏＩＰ情報を認証サーバへ設定登録要求と共に送信する過程を含むものである。
【発明の効果】
【００１４】
ＩＰ電話端末にパソコンを接続することなく、電話機を利用した入力操作により初期設定登録を実行し、ＩＰ電話として利用することができる。又認証サーバ又はプロバイダに於ける照合ステップを含むことにより、信頼性のある設定登録が可能となる利点がある。
【発明を実施するための最良の形態】
【００１５】
本発明のＩＰ電話システムは、図１を参照すると、電話機２を接続するＩＰ電話端末１と、このＩＰ電話端末１対応の０５０ＶｏＩＰ情報を設定登録する認証サーバ５とを含むＩＰ電話システムであって、ＩＰ電話端末１は、０５０ＶｏＩＰ情報を設定保持したメモリ１ｂによる情報保持手段と、この情報保持手段に保持した０５０ＶｏＩＰ情報を設定登録要求と共に認証サーバに対して送信する送信部１ａによる設定登録要求手段とを備えている。
【００１６】
又本発明のＩＰ電話設定方法は、電話機２を接続するＩＰ電話端末１と、認証サーバ５とを含み、ＩＰ電話端末１対応の０５０ＶｏＩＰ情報を認証サーバ５に設定登録するＩＰ電話設定方法であって、ＩＰ電話端末１の情報保持手段に０５０ＶｏＩＰ情報を設定保持し、このＩＰ電話端末を認証サーバ５に接続すると共に電話機２を接続し、この電話機２から０５０ＶｏＩＰ情報の一部を入力し、この０５０ＶｏＩＰ情報の一部を基にプロバイダにアクセスし、このプロバイダに保持されている０５０ＶｏＩＰ情報を要求して受信設定し、この０５０ＶｏＩＰ情報を認証サーバへ設定登録要求と共に送信する過程を含むものである。
【実施例１】
【００１７】
図１は、本発明の実施例１の説明図であり、１はＩＰ電話端末、２は電話機、３は上位ルータ、４はプロバイダ、５は認証サーバ（ＣＡ）、１ａは設定登録要求手段として送信部、１ｂは０５０ＶｏＩＰ情報を保持する情報保持手段としてのメモリを示す。ＩＰ電話端末１のＴＥＬポートに電話機２を接続し、ＷＡＮポートに上位ルータ３を接続する。この実施例は、ＩＰ電話端末１は、設定登録情報を予め設定しないでユーザ宅に配送する場合を示し、ＩＰ電話端末１に接続した電話機２から、ＩＰ電話番号を含む設定登録情報を数字情報として入力可能の構成とする。通常の電話機２は、数字０〜９と＃と＊とのダイヤルキーを備えているのみであるから、このダイヤルキーのみで設定登録情報を入力可能とするように、ＩＰ電話端末１は、送信部１ａとメモリ１ｂとを含む構成と共に、数字情報と設定登録情報との変換テーブルを備えるか、或いは、変換テーブルによる変換と同様な変換処理プログラムを実装する。なお、この変換処理は、初期設定登録時のみ作用する構成とする。
【００１８】
即ち、電話機２から、１）ユーザ設定として示すように、番号情報による０５０ＶｏＩＰ情報をＩＰ電話端末１に入力してメモリ１ｂに保持する。この０５０ＶｏＩＰ情報の入力完了により、ＩＰ電話端末１は、２）ＲＥＧＩＳＴ送信として示すように、送信部１ａからメモリ１ｂに保持した０５０ＶｏＩＰ情報と共に設定登録要求を認証サーバ５に対して上位ルータ３を介して送信する。それにより、ＩＰ電話端末１からの０５０ＶｏＩＰ情報を認証サーバ５に設定登録し、電話機２によるＩＰ網を介した通話が可能となる。
【００１９】
図２は、本発明の実施例１のフローチャートを示し、電話機２をＩＰ電話端末１のＴＥＬポートに接続し、このＩＰ電話端末１のＷＡＮポートを上位ルータ３に接続する接続完了により（Ｂ１）、ユーザが０５０ＶｏＩＰ情報を電話機から入力（Ｂ２）として示すように、予め定めた変換規則に基づいた数字情報により０５０ＶｏＩＰ情報を入力する。入力完了により、端末がＣＡにＲＥＧＩＳＴ送信（Ｂ３）として示すように、ＩＰ電話端末１は、認証サーバ（ＣＡ）５に対して設定登録情報の０５０ＶｏＩＰ情報を送信する。認証サーバ５は、送信された０５０ＶｏＩＰ情報が正しいか否かを照合し（Ｂ４）、照合不一致の場合は、ＲＥＧＩＳＴ不可、０５０ＶｏＩＰ利用不可として（Ｂ６）、登録不可応答をＩＰ電話端末１へ送信するから、ＩＰ電話端末１は、エラー音等により電話機２に通知する。それにより、ユーザは再入力操作を行う。又照合一致の場合は、登録完了応答をＩＰ電話端末１へ送信するから、ＲＥＧＩＳＴ完了、０５０ＶｏＩＰ利用可とし（Ｂ５）、初期設定登録情報の処理を完了する。この実施例１は、番号情報と０５０ＶｏＩＰ情報との対応付けによる変換処理機能を設けるだけで、ＩＰ電話端末１の出荷時には、０５０番号情報を含む設定登録情報を設定する必要はない利点がある。
【実施例２】
【００２０】
図３は、本発明の実施例２の説明図であり、図１と同一符号は同一名称部分を示し、ＩＰ電話端末１は、図１に示す送信部１ａやメモリ１ｂを含む構成を有し、この情報保持手段としてのメモリ１ｂには、事前に０５０ＶｏＩＰ情報は設定されていない状態でユーザ宅に設置する。なお、メモリ１ｂには、プロバイダ４に対するアクセスアドレスを設定しておくもので、ＩＰ電話端末１のＴＥＬポートに接続した電話機２から、１）ユーザ設定として示すように、０５０ＶｏＩＰ情報の一部を入力する。この場合も数字情報により入力するもので、例えば、０５０ＶｏＩＰ情報の一部の０５０−ＸＸＸＸ−ＹＹＹＹの０５０番号及びパスワードを入力し、その入力終了により、０５０番号及びパスワードを付加して、プロバイダ４にアクセスし、そのプロバイダ４に於いて管理している０５０−ＸＸＸＸ−ＹＹＹＹ対応の認証サーバ名等を含む０５０ＶｏＩＰ情報を、２）０５０ＶｏＩＰ情報として示すように受信し、ＩＰ電話端末１のメモリに設定保存する。そして、この０５０ＶｏＩＰ情報を基に、３）ＲＥＧＩＳＴ送信として示すように、認証サーバ５に０５０ＶｏＩＰ情報を送信して、初期設定登録を行う。
【００２１】
図４は、本発明の実施例２のフローチャートを示し、電話機２をＩＰ電話端末１のＴＥＬポートに接続し、このＩＰ電話端末１のＷＡＮポートを上位ルータ３に接続する接続完了により（Ｃ１）、ユーザが０５０ＶｏＩＰ情報の一部を電話機から入力（Ｃ２）として示すように、数字情報による設定登録情報の０５０ＶｏＩＰ情報の一部、例えば、前述のように、電話機２から数字情報による０５０番号及びパスワードを入力する。それにより、ＩＰ電話端末１は、プロバイダ４にアクセスして、０５０ＶｏＩＰ情報の一部としての０５０番号及びパスワードを送信する。プロバイダ４は、ＩＰ電話端末１からの０５０ＶｏＩＰ情報の一部と一致する０５０ＶｏＩＰ情報を有するか否かを照合処理し（Ｃ３）、照合不一致の場合は、照合不一致応答をＩＰ電話端末１へ送信するから、ＩＰ電話端末１は、電話機２にエラー音となる音声情報を送信する（Ｃ７）。それにより、ユーザは、入力エラーと判定して、再入力操作を行う。この再入力操作の繰り返し回数を予め設定し、その設定回数を超えた場合は、ＩＰ電話端末１は使用不可能とする機能を設けておくことも可能である。
【００２２】
又照合一致の場合は、プロバイダが０５０ＶｏＩＰ情報を端末に送信（Ｃ４）として示すように、プロバイダ４に於いて管理している０５０ＶｏＩＰ情報を、ＩＰ電話端末１へ送信する。ＩＰ電話端末１は、受信した０５０ＶｏＩＰ情報を内部のメモリ（例えば、図１に示す情報保持手段としてのメモリ１ｂ）に設定保存すると共に、この０５０ＶｏＩＰ情報を用いて、認証サーバ５に登録要求のＲＥＧＩＳＴ送信を行う（Ｃ５）。そして、認証サーバ５からの登録完了応答を受信することにより、ＲＥＧＩＳＴ完了、０５０ＶｏＩＰ利用可とする（Ｃ６）。
【実施例３】
【００２３】
図５は、本発明の実施例３の説明図であり、図１及び図３と同一符号は同一名称部分を示し、６はプロバイダ側の一次認証サーバを示す。この一次認証サーバ６は、アカウント情報（一次認証サーバ用のＩＤ及びパスワード）と０５０ＶｏＩＰ情報を管理する。ＩＰ電話端末１は、事前に０５０ＶｏＩＰ情報が設定されていない状態で、ＴＥＬポートに電話機２を接続し、ＷＡＮポートに上位ルータ３を接続する。電話機２からは、１）ユーザ設定として、一次認証サーバ６用のアカウント情報（一次認証サーバ用のＩＤ及びパスワード）を入力する。それにより、ＩＰ電話端末１から一次認証サーバ６にアクセスして、２）０５０ＶｏＩＰ情報を取得し、ＩＰ電話端末１の内部のメモリに保存し、３）ＲＥＧＩＳＴ送信として示すように、認証サーバ５にアクセスし、一次認証サーバ６から受信して保存している０５０ＶｏＩＰ情報を用いて設定登録要求を行う。それにより、認証サーバ５に０５０ＶｏＩＰ情報が設定登録されて、電話機２によるＩＰ網を介した通話が可能となる。
【００２４】
図６は、本発明の実施例３のフローチャートを示し、ＩＰ電話端末１のＴＥＬポートに電話機２を接続し、ＷＡＮポートに上位ルータ３を接続した接続完了（Ｄ１）により、電話機２からユーザがアカウント情報を入力する（Ｄ２）。このアカウント情報は、一次認証サーバ６に対するＩＤ及びパスワードとする。ＩＰ電話端末１は、ユーザが入力したアカウント情報を一次認証サーバ６へ送出する。それにより一次認証サーバ６は、アカウント情報を照合し（Ｄ３）、照合不一致の場合は、認証不可応答をＩＰ電話端末１へ返送するから、ＩＰ電話端末１から電話機２にエラー音等により認証失敗を通知し、ユーザに再入力操作を行わせる。
【００２５】
又照合一致の場合は、一次認証サーバ６に於いて管理している０５０ＶｏＩＰ情報を、ＩＰ電話端末１へ送信する（Ｄ４）。ＩＰ電話端末１は、その０５０ＶｏＩＰ情報をメモリに保存すると共に、その０５０ＶｏＩＰ情報を用いて、端末がＣＡにＲＥＧＩＳＴ送信（Ｄ５）として示すように、認証サーバ５に対する設定登録要求を行う。それにより、認証サーバ５は、照合処理を行って０５０ＶｏＩＰ情報を登録し、登録完了応答をＩＰ電話端末１は送信し、ＲＥＧＩＳＴ完了、０５０ＶｏＩＰ利用可（Ｄ６）として示すように、電話機２によるＩＰ網を介した通話が可能となる。
【００２６】
一次認証サーバ６により、ユーザ対応のアカウント情報（一次認証サーバ用のＩＤ及びパスワード）と０５０ＶｏＩＰ情報とを管理することにより、第三者の利用を防止することができるが、更に、一旦認証した後は、ＩＰ電話端末１のＭＡＣアドレスとシリアル番号とを記録して、アカウント情報を削除する。そして、再認証時には、アカウント情報と、ＭＡＣアドレスと、シリアル番号との一致条件を含めることにより、セキュリティを維持することができる。
【図面の簡単な説明】
【００２７】
【図１】本発明の実施例１の説明図である。
【図２】本発明の実施例１のフローチャートである。
【図３】本発明の実施例２の説明図である。
【図４】本発明の実施例２のフローチャートである。
【図５】本発明の実施例３の説明図である。
【図６】本発明の実施例３のフローチャートである。
【図７】従来例の説明図である。
【図８】従来例の初期設定登録のフローチャートである。
【符号の説明】
【００２８】
１  ＩＰ電話端末
２  電話機
３  上位ルータ
４  プロバイダ
５  認証サーバ
６  一次認証サーバ
【図１】
0004917996.tif 000002
【図２】
0004917996.tif 000003
【図３】
0004917996.tif 000004
【図４】
0004917996.tif 000005
【図５】
0004917996.tif 000006
【図６】
0004917996.tif 000007
【図７】
0004917996.tif 000008
【図８】
0004917996.tif 000009